(57)【要約】【課題】医療機器における信号処理のための装置及び方法を提供すること。【解決手段】装置は、アナログデジタル変換（ＡＤＣ）回路、デジタル処理ロジック、及びデジタルアナログ変換（ＤＡＣ）回路を含む。ＡＤＣ回路は、デジタルサンプルを生成するために、複数のアナログ入力信号をデジタル化するように連結される。デジタル処理ロジックは、デジタルサンプルから、アナログ入力信号の第１の選択されたサブセットに対応する１つ以上の第１のデジタル信号、及びアナログ入力信号の第２の選択されたサブセットに対応する１つ以上の第２のデジタル信号を抽出するように構成されている。デジタル処理ロジックは、１つ以上の第１のデジタル信号をデジタル医療機器に出力するように更に構成されている。ＤＡＣ回路は、１つ以上の第２のデジタル信号を１つ以上のアナログ出力信号に変換し、１つ以上のアナログ出力信号をアナログ医療機器に出力するように連結される。【選択図】図１
2019181199.tif 000002
【特許請求の範囲】
【請求項１】
装置であって、
アナログデジタル変換（ＡＤＣ）回路であって、デジタルサンプルを生成するように複数のアナログ入力信号をデジタル化するように連結された、ＡＤＣ回路と、
デジタル処理ロジックであって、
前記デジタルサンプルから、前記アナログ入力信号の第１の選択されたサブセットに対応する１つ以上の第１のデジタル信号、及び前記アナログ入力信号の第２の選択されたサブセットに対応する１つ以上の第２のデジタル信号を抽出し、
前記１つ以上の第１のデジタル信号をデジタル医療機器に出力するように構成されている、デジタル処理ロジックと、
デジタルアナログ変換（ＤＡＣ）回路であって、前記１つ以上の第２のデジタル信号を１つ以上のアナログ出力信号に変換し、前記１つ以上のアナログ出力信号をアナログ医療機器に出力するように連結された、ＤＡＣ回路と、を含む装置。
【請求項２】
前記第２の選択されたサブセットはＥＣＧ信号を含み、前記第１の選択されたサブセットは非ＥＣＧ信号を含む、請求項１に記載の装置。
【請求項３】
前記１つ以上のアナログ出力信号を前記アナログ医療機器に伝達するように、前記アナログ医療機器の入力コネクタを受容するように構成されている出力コネクタを含む、請求項１に記載の装置。
【請求項４】
前記第２の選択されたサブセットはアナログＥＣＧ信号を含み、前記アナログ医療機器はアナログＥＣＧ記録計器を含む、請求項１に記載の装置。
【請求項５】
前記ＡＤＣ回路、前記デジタル処理ロジック、及び前記ＤＡＣ回路が単一の回路基板上に集積されている、請求項１に記載の装置。
【請求項６】
前記複数のアナログ入力信号は、それぞれの搬送周波数上で周波数多重される、請求項１に記載の装置。
【請求項７】
方法であって、
デジタルサンプルを生成するために、複数のアナログ入力信号をデジタル化することと、
前記デジタルサンプルから、前記アナログ入力信号の第１の選択されたサブセットに対応する１つ以上の第１のデジタル信号、及び前記アナログ入力信号の第２の選択されたサブセットに対応する１つ以上の第２のデジタル信号を抽出することと、
前記１つ以上の第１のデジタル信号をデジタル医療機器に出力することと、
前記１つ以上の第２のデジタル信号を１つ以上のアナログ出力信号に変換し、前記１つ以上のアナログ出力信号をアナログ医療機器に出力することと、を含む、方法。
【請求項８】
前記アナログ入力信号の前記第２のサブセットを選択することは、アナログＥＣＧ信号を選択することを含み、前記アナログ入力信号の前記第１のサブセットを選択することは、アナログ非ＥＣＧ信号を選択することを含む、請求項７に記載の方法。
【請求項９】
前記１つ以上のアナログ出力信号をアナログ医療機器に出力することは、アナログＥＣＧ記録計器にアナログＥＣＧ信号を出力することを含む、請求項７に記載の方法。
【請求項１０】
複数のアナログ入力信号をデジタル化することは、それぞれの搬送周波数上で周波数多重されるアナログ入力信号をデジタル化することを含む、請求項７に記載の方法。
【請求項１１】
装置であって、
アナログデジタル変換（ＡＤＣ）回路であって、デジタルサンプルを生成するように複数のアナログ入力信号をデジタル化するように連結された、ＡＤＣ回路と、
デジタル処理ロジックであって、
前記デジタルサンプルを第１及び第２の同一のコピーに分割し、
前記デジタル信号の前記第１のコピーをデジタル医療機器に送信し、
前記デジタル信号の前記第２のコピーを出力するように構成されている、デジタル処理ロジックと、
デジタルアナログ変換（ＤＡＣ）回路であって、デジタルフィルタを含み、前記デジタル入力信号の前記第２のコピーをフィルタリングし、前記フィルタリングされた第２のコピーを１つ以上のアナログ出力信号に変換し、前記１つ以上のアナログ出力信号をアナログ医療機器に出力するように連結されている、ＤＡＣ回路と、を含む、装置。
【請求項１２】
前記デジタルフィルタは、前記デジタル入力信号の第１のサブセットを通過させ、前記デジタル入力信号の第２のサブセットを除外することによって、前記デジタル入力信号の前記第２のコピーをフィルタリングするように構成されている、請求項１１に記載の装置。
【請求項１３】
前記デジタル入力信号の前記第１のサブセットは、１つ以上のデジタルＥＣＧ信号を含む、請求項１２に記載の装置。
【請求項１４】
前記デジタル信号の前記第２のコピーを前記ＤＡＣ回路に送信するように構成されているデータ通信回線を含む、請求項１１に記載の装置。
【請求項１５】
方法であって、
デジタルサンプルを生成するために、複数のアナログ入力信号をデジタル化することと、
前記デジタルサンプルを第１及び第２の同一のコピーに分割することと、
前記デジタル信号の前記第１のコピーをデジタル医療機器に送信することと、
デジタルフィルタによって前記デジタル入力信号の前記第２のコピーをフィルタリングすることと、
前記フィルタリングされた第２のコピーを１つ以上のアナログ出力信号に変換し、前記１つ以上のアナログ出力信号をアナログ医療機器に出力することと、を含む、方法。
【請求項１６】
デジタル信号の前記第２のコピーをフィルタリングすることは、前記デジタル入力信号の第１のサブセットを通過させることと、前記デジタル入力信号の第２のサブセットを除外することと、を含む、請求項１５に記載の方法。
【請求項１７】
前記デジタル入力信号の前記第１のサブセットを通過させることは、１つ以上のデジタルＥＣＧ信号を通過させることを含む、請求項１６に記載の方法。
【請求項１８】
データ通信回線を使用してデジタル信号の前記第２のコピーを送信することを含む、請求項１５に記載の方法。
【発明の詳細な説明】
【技術分野】
【０００１】
本発明は、概して、医療機器における信号処理のための装置及び方法に関し、詳細には心電図（ＥＣＧ）信号を伝送するためのアダプタに関する。
【背景技術】
【０００２】
心電図（ＥＣＧ）は、十分に確立された心臓診断技術である。ＥＣＧ信号を伝送及び記録するための様々な技術が当該技術分野において既知である。例えば、米国特許第４，９２０，９６９号は、ＥＣＧ電極からの情報が携帯型カセットレコーダに記録される、携帯型生理学的評価システムについて説明する。情報は、所望の期間にわたって記録された後に、インターフェース及びアナログデジタル変換器を介して病院又はオフィスに位置するスタンドアロンコンピュータのメモリに提示される。コンピュータは、Ｒ−Ｒ時間間隔、心電図及び時間−放射能曲線などの項目を計算し、これらの項目及び他の生理学的データを表示する。コンピュータによって行われた計算から、平均心拍数、異常な拍数、及び他の生理学的に有意な値を、所望の時間間隔で計算することができる。
【０００３】
別の例として、米国特許出願公開第２００６／０１６１０６８号は、吸引によって身体に取り付けられるように適合されている電極の使用を含むＥＣＧ電極システムについて説明する。実施形態では、任意のアナログレコーダ／モニタが本発明のＥＣＧ電極システムに直接接続され得る。一実施形態では、信号は決してデジタル化されないため、信号は、信号を表示できるアナログレコーダ／モニタに直接送信することができる。加えて、電極からいくつか又は１つのアナログデジタル変換器に至る様々なアナログ信号をルーティングすることが提供される。次いで、アナログデジタル変換器は、デジタルＥＣＧレコーダ又はモニタにもたらすデジタル信号を供給することができる。したがって、このシステムは、任意のアナログ又はデジタルレコーダ／モニタと共に使用されるように適合可能である。
【０００４】
更に別の例として、米国特許第５，０９０，４１８号は、ＥＣＧ信号を評価し、記録されたデータを分類するために、長期的な歩行（ホルター）記録で不整脈分析プログラムを使用して、ＥＣＧ信号を検出、測定、分析、及びプロットするための、時間を短縮できる自動スクリーニングシステムについて説明する。開示される方法及び装置は、心臓不整脈又は拍動形態において有意な異常を含まない長期の（ホルター）ＥＣＧ記録を全て特定し、スクリーニングすることを可能にする。したがって、ホルター精査のコストは、心臓不整脈又は拍動形態において有意な異常を含む記録のみを手動精査用に保留することによって大幅に低減される。好ましい実施形態では、３つの高速Ａ／Ｄ変換器を使用して、３つのアナログＥＣＧデータチャネルを３つのデジタルチャネルに変換する。
【発明の概要】
【課題を解決するための手段】
【０００５】
本発明の一実施形態は、アナログデジタル変換（ＡＤＣ）回路、デジタル処理ロジック、及びデジタルアナログ変換（ＤＡＣ）回路を含む装置を提供する。ＡＤＣ回路は、デジタルサンプルを生成するために、複数のアナログ入力信号をデジタル化するように連結される。デジタル処理ロジックは、デジタルサンプルから、アナログ入力信号の第１の選択されたサブセットに対応する１つ以上の第１のデジタル信号、及びアナログ入力信号の第２の選択されたサブセットに対応する１つ以上の第２のデジタル信号を抽出するように構成されている。デジタル処理ロジックは、１つ以上の第１のデジタル信号をデジタル医療機器に出力するように更に構成されている。ＤＡＣ回路は、１つ以上の第２のデジタル信号を１つ以上のアナログ出力信号に変換し、１つ以上のアナログ出力信号をアナログ医療機器に出力するように連結される。
【０００６】
いくつかの実施形態では、第２の選択されたサブセットはＥＣＧ信号を含み、第１の選択されたサブセットは、非ＥＣＧ信号を含む。
【０００７】
いくつかの実施形態では、この装置は、アナログ医療機器の入力コネクタを受容して、１つ以上のアナログ出力信号をアナログ医療器具に伝達するように構成されている出力コネクタを更に含む。
【０００８】
一実施形態では、第２の選択されたサブセットはアナログＥＣＧ信号を含み、アナログ医療機器は、アナログＥＣＧ記録計器を含む。
【０００９】
別の実施形態では、ＡＤＣ回路、デジタル処理ロジック、及びＤＡＣ回路は単一の回路基板上に集積される。
【００１０】
いくつかの実施形態では、複数のアナログ入力信号は、それぞれの搬送周波数上で周波数多重される。
【００１１】
本発明の一実施形態によると、デジタルサンプルを生成するために複数のアナログ入力信号をデジタル化することを含む方法が更に提供される。アナログ入力信号の第１の選択されたサブセットに対応する１つ以上の第１のデジタル信号、及びアナログ入力信号の第２の選択されたサブセットに対応する１つ以上の第２のデジタル信号は、デジタルサンプルから抽出される。１つ以上の第１のデジタル信号はデジタル医療器具に出力される。１つ以上の第２のデジタル信号は、１つ以上のアナログ出力信号に変換され、１つ以上のアナログ出力信号は、アナログ医療機器に出力される。
【００１２】
本発明の一実施形態によると、アナログデジタル変換（ＡＤＣ）回路、デジタル処理ロジック、及びデジタルアナログ変換（ＤＡＣ）回路を含む装置も提供される。ＡＤＣ回路は、デジタルサンプルを生成するために、複数のアナログ入力信号をデジタル化するように連結される。デジタル処理ロジックは、デジタルサンプルを第１及び第２の同一のコピーに分割し、デジタル信号の第２のコピーを出力するように構成されている。デジタルフィルタを含み、デジタル入力信号の第２のコピーをフィルタリングし、フィルタリングされた第２のコピーを１つ以上のアナログ出力信号に変換し、１つ以上のアナログ出力信号をアナログ医療機器に出力するように連結される、ＤＡＣ回路。
【００１３】
本発明の一実施形態によると、デジタルサンプルを生成するために複数のアナログ入力信号をデジタル化することを含む方法が更に提供される。デジタルサンプルは、第１及び第２の同一のコピーに分割される。デジタル信号の第１のコピーは、デジタル医療器具に送信される。デジタル入力信号の第２のコピーは、デジタルフィルタによってフィルタリングされる。フィルタリングされた第２のコピーは、１つ以上のアナログ出力信号に変換され、１つ以上のアナログ出力信号は、アナログ医療機器に出力される。
【００１４】
本発明は、以下の「発明を実施するための形態」を図面と併せて考慮すると、より完全に理解されよう。
【図面の簡単な説明】
【００１５】
【図１】本発明の一実施形態による、アナログＥＣＧ記録計器に連結された、カテーテルベースの電気解剖学的検出システムの概略描写図である。
【図２】本発明の一実施形態による、ルーティング回路を概略的に示すブロック図である。
【図３】本発明の一実施形態による、ルーティング回路における信号処理の方法を概略的に示したフロー図である。
【発明を実施するための形態】
【００１６】
概略
ＥＣＧセンサ、接触力センサ、及び位置センサなどのカテーテルに装着されたセンサは、典型的に変調されたアナログ信号を生成する。様々な医療システムにおいて、上記に例示されるような複数の変調アナログ信号は、コンソールにルーティングされ、変調アナログ信号は、更に信号処理を受けるようにデジタル信号に変換される。
【００１７】
しかしながら、多くの場合、心臓内で検出されたアナログＥＣＧ信号などのアナログ信号の少なくとも一部は、例えばレガシーアナログＥＣＧ記録計器によって記録されるように、アナログ信号の形態で維持される必要がある。
【００１８】
本明細書に記載される本発明の実施形態は、レガシーアナログＥＣＧ記録計器などのアナログ医療機器にアナログ信号を伝達するためのルーティング回路を提供する。いくつかの実施形態では、開示されるルーティング回路は、異なる搬送波周波数に関して変調された（すなわち、周波数多重された）複数のアナログ信号を受信する。ルーティング回路内の広帯域アナログデジタル変換器（ＡＤＣ）は、変調アナログ入力信号をデジタル化し（すなわち、変換し）、デジタルサンプルを生成し（例えば、広帯域デジタル信号に変換し）、デジタルサンプルをデジタル処理ロジックに出力する。デジタル処理ロジックは、デジタルサンプルから、アナログ入力信号の第１の選択されたサブセットに対応する１つ以上の第１のデジタル信号を抽出する。更に、デジタル処理ロジックは、アナログ入力信号の第２の選択されたサブセットに対応する１つ以上の第２のデジタル信号を抽出する。
【００１９】
いくつかの実施形態では、デジタル処理ロジックは、１つ以上の第１のデジタル信号をデジタル医療機器に出力し、１つ以上の第２のデジタル信号をデジタルアナログ変換器（ＤＡＣ）に出力する。ＤＡＣは、１つ以上の第２のデジタル信号を１つ以上のアナログ出力信号に変換し、１つ以上のアナログ出力信号をアナログ医療機器に出力する。一実施形態では、複数のアナログ信号は、１つ以上のアナログＥＣＧ信号を含む。受信されたアナログＥＣＧ信号はデジタルサンプルを生成するようにデジタル化され、このデジタルＥＣＧサンプルは抽出され、アナログＥＣＧ記録計器への入力として機能する１つ以上の対応するアナログＥＣＧ信号にこのデジタルＥＣＧサンプルを変換するＡＤＣに出力される。
【００２０】
開示されたルーティング回路は、レガシー医療機器に接続するための単純であるが効果的な手段を提供する。
【００２１】
システムの説明
図１は、本発明の一実施形態による、アナログＥＣＧ記録計器４０に連結された、カテーテルベースの電気解剖学的検出システム２０の概略描写図である。システム２０はカテーテル２１を含み、カテーテルのシャフト２２は、シース２３を通って患者２８の心臓２６に挿入される。カテーテル２１の近位端部は、コンソール２４に接続されている。
【００２２】
コンソール２４は、カテーテル２１からの信号及び／又は患者の皮膚に取り付けられたセンサなどの外部センサからの信号を受信するためのインターフェース回路３８を含む。本明細書に記載される実施形態では、カテーテル２１は、心臓２６の解剖学的マッピングなど、任意の好適な診断目的で使用され得る。
【００２３】
医師３０は、患者２８の脈管系を通してカテーテル２２を挿入する。医師３０は、シャフト２２の遠位端を心臓２６内の標的位置へとナビゲートする。シャフト２２の遠位端が標的位置に到達すると、医師３０はシース２３を後退させて、シャフト２２の遠位端に装着された１つ以上のセンサに１つ以上の信号を収集及び／又は注入させる。
【００２４】
コンソール２４は、典型的に汎用コンピュータであるプロセッサ４１を含み、好適なフロントエンドと、シャフト２２の遠位端に装着された検出電極から、及び／又は典型的に患者２６の胸部の周囲に配置される外部電極４９からＥＣＧ信号及び非ＥＣＧ信号（位置信号など）を受信するためのインターフェース回路３８と、を含む。この目的のために、プロセッサ４１は、シャフト２２内を延びるワイヤを介して検出電極に、及びケーブル３９を通って延びるワイヤによって外部電極４９に接続される。
【００２５】
上述したように、コンソール２４は、例えば、ＥＣＧ信号、位置信号、及び接触力信号など、シャフト２２の遠位端に装着された電極４９及び／又はセンサからの複数のアナログ信号を受信する。したがって、上述のように、アナログＥＣＧ信号は、容易に分離され、アナログＥＣＧ記録計器４０に直接ルーティングされ得ない。むしろ、コンソール２４内のルーティング回路（図２に見られる）は、シャフト２２及び／又はケーブル３９が伝達する全てのアナログ信号をデジタル化するので、コンソール２４は全てのデジタル化されたデータを処理することができる。ルーティング回路は、デジタル化された信号からデジタル化されたＥＣＧ信号（digitize ECG signals）を更に抽出する。ＥＣＧ信号を出力するために、ルーティング回路は、抽出された、デジタル化されたＥＣＧ信号を変換してアナログ信号に戻し、ルーティング回路のアナログ出力コネクタ５０に接続されたケーブル５２を介してアナログＥＣＧ記録計器４０に送信する。
【００２６】
いくつかの実施形態では、ルーティング回路は、コンソール２４回路の一体部分であってもよい。他の実施形態では、ルーティング回路は、アダプタケース４３内のコンソール２４に組み込まれてもよい。
【００２７】
プロセッサ４１は、通常、本明細書に記載の機能を実施するためにソフトウェアにプログラムされる。ソフトウェアは、例えばネットワーク上で、コンピュータに電子形態でダウンロードすることができるか、又は代替として、又は更には、磁気メモリ、光学メモリ又は電子メモリなどの、非一過性の有形媒体上で提供及び／又は記憶されてもよい。
【００２８】
図示された実施形態は、具体的にはＥＣＧ及び位置検出システムに関するが、システム２０の要素及び本明細書に記載の方法は、代替的に、多電極検出の他の種類に適用されてもよく、及び／又はアブレーション装置などの追加の装置を動作させるシステムと共に適用されてもよい。
【００２９】
Ａ／Ｄ変換、続いてのＤ／Ａ変換を使用したアナログ信号のルーティング
図２は、本発明の一実施形態によるルーティング回路４２を概略的に示すブロック図である。例示された構成では、複数の変調アナログ信号が、ケース４３内のルーティング回路４２に受信され、広帯域アナログデジタル変換器（ＡＤＣ）４４によってデジタル化される。アナログ信号は、ＥＣＧ信号、並びに位置信号及び接触力信号などの非ＥＣＧアナログ信号を含む。典型的には、受信されたアナログ入力信号は、異なる搬送波周波数に関して変調された（すなわち、周波数多重された）連続時間信号を含み、ＡＤＣ４４は、これらの変調アナログ入力信号を広帯域デジタル信号に変換するように構成されている。
【００３０】
一実施形態では、ルーティング回路４２内のデジタル処理ユニット４６（デジタル処理ロジックとも呼ばれる）は、広帯域デジタル信号からデジタルＥＣＧ信号を抽出し、デジタルＥＣＧ信号をデジタルアナログ変換器（ＤＡＣ）４８に出力する。非ＥＣＧデジタル信号は、ユニット４６によって、コンソール２４（図２を簡略化するために示されていない）内の様々な回路に出力される。ＤＡＣ４８は、抽出されたデジタルＥＣＧ信号をアナログＥＣＧ信号に変換し、アナログ信号をケース４３に装着された出力コネクタ５０に出力する。出力コネクタ５０は、スタンドアロンのアナログＥＣＧ記録ステーション４０に接続された、図１に見られるケーブル５２などのレガシーアナログＥＣＧ記録計器からのケーブルを受け入れるように構成されている。
【００３１】
一実施形態では、ＡＤＣ  ４４、処理ユニット４６、及びＤＡＣ  ４８はいずれも単一のプリント回路基板上に集積される。ルーティング回路４２の様々な要素は、例えば、１つ以上の個別の構成要素、フィールドプログラマブルゲートアレイ（ＦＰＧＡ）、又は特定用途向け集積回路（ＡＳＩＣ）を使用してハードウェアとして実施することができる。いくつかの実施形態では、ルーティング回路４２のいくつかの要素、例えば処理ユニット４６を、ソフトウェアとして、又はソフトウェア及びハードウェア要素の組み合わせを用いて実施することができる。図２に示されるルーティング回路４２の構成は、あくまで概念を明確化する目的で示される構成の一例である。代替的な実施形態では、ルーティング回路４２は、他の任意の好適な構成要素又は構成を用いて実施することができる。
【００３２】
代替的な実施形態では、ルーティング回路４２内のＤＡＣ  ４８ではなく、外部ボックスが、デジタル化されたＥＣＧ信号をアナログ信号に変換するために使用される。そのような場合、デジタル処理ユニット４６又はデジタル信号スプリッタなどの代替ユニットは、デジタルサンプルを第１及び第２の同一のコピーに分割する。ユニット４６は、デジタル信号の第１のコピーをデジタル医療機器に（例えば、コンソール２４内の様々な回路に）送信する。ユニット４６は、デジタル信号を非ＥＣＧ信号及びＥＣＧ信号に分割するデジタル処理ユニット４６ではなく、ＤＡＣ４８を含む外部ボックスにデジタル信号の第２のコピー（すなわち、デジタル信号のＥＣＧサブセット及び非ＥＣＧサブセットの両方）を出力する。
【００３３】
デジタル信号は、ケーブル接続又は無線接続を使用して送信され、ＤＡＣ  ４８などのユニットを含む外部ボックスは、デジタル入力信号の第１のサブセット（例えば、デジタル信号のＥＣＧサブセット）のみを保持し、デジタル入力信号の第２のサブセット（例えば、デジタル信号の非ＥＣＧサブセット）を除外するように、デジタル信号の受信された第２のコピーをフィルタリングする回路を含む。次いで、ＤＡＣ  ４８は、ＥＣＧ信号をデジタルからアナログに変換し、アナログＥＣＧ信号などの１つ以上のアナログ出力信号をアナログ記録ステーション４０などのアナログ医療機器に出力する。このようなアーキテクチャを適用することにより、システムは、ＥＣＧ信号をアナログ信号として外部アナログ記録ステーション４０に送ることに関して、より低いピックアップノイズを達成することができる。信号をデジタル形式に維持することによって、ＥＣＧ信号をアナログに変換する前に、信号をフィルタリングして、ステーション４０への送信中に加えられる様々な種類のノイズ（例えば、５０Ｈｚ／６０Ｈｚにおけるノイズ、及びそれらのより高い調和）を除去することができる。
【００３４】
図３は、本発明の一実施形態による、アナログルーティング回路における信号処理の方法を概略的に示したフロー図である。見られるように、アナログＥＣＧ及び非ＥＣＧアナログ信号は、受信工程７０においてルーティング回路４２で受信される。ＡＤＣ  ４４は、ＡＤＣ工程７２において、受信されたアナログ信号の全てをデジタルＥＣＧ及び非ＥＣＧ信号７４に変換する。続いて、デジタル処理ユニット４６は、上述の抽出工程７６においてデジタル信号デジタルからＥＣＧデジタル信号７８及び非ＥＣＧデジタル信号８０を抽出する。ＤＡＣ  ４８は次いで、ＤＡＣ工程８２において、抽出され、出力されたデジタルＥＣＧ信号をアナログ出力信号８４に変換する。次いで、ＤＡＣ  ４８は、アナログＥＣＧ信号８４を、上述のようにレガシーＥＣＧ記録計器４０に送信する。
【００３５】
図２に示される構成例は、あくまで概念を明確化する目的で選択されたものである。代替的な実施形態では、開示される技術は、例えばレセプタクル及び様々な形状のプラグなどの種類のコネクタを含む他の好適な構成を使用してもよい。信号の特性、ルーティング回路のアーキテクチャ及び機能性は、例えば、ルーティング回路が並列して変換できる信号チャネルの数／周波数などによって異なってよい。任意の実施形態では、ＥＣＧ以外の信号は、スタンドアロンアナログ機器の入力として機能するように分割及びルーティングされてもよい。
【００３６】
本明細書に記載される実施形態は、主に医療用センサを対象としたものであるが、本明細書に記載される方法及びシステムは、様々な軍事用途をはじめとする、センサを用いる他の任意の適当な用途で使用することもできる。
【００３７】
したがって、上記に述べた実施形態は、例として引用したものであり、また本発明は、上記に具体的に示し説明したものに限定されないことが理解されよう。むしろ本発明の範囲は、上述の様々な特徴の組み合わせ及びその一部の組み合わせの両方、並びに上述の説明を読むことで当業者により想到されるであろう、また従来技術において開示されていないそれらの変形及び修正を含むものである。参照により本特許出願に援用される文献は、これらの援用文献において、いずれかの用語が本明細書において明示的又は暗示的になされた定義と矛盾して定義されている場合には、本明細書における定義のみを考慮するものとする点を除き、本出願の一部と見なすものとする。
【００３８】
〔実施の態様〕
（１）  装置であって、
アナログデジタル変換（ＡＤＣ）回路であって、デジタルサンプルを生成するように複数のアナログ入力信号をデジタル化するように連結された、ＡＤＣ回路と、
デジタル処理ロジックであって、
前記デジタルサンプルから、前記アナログ入力信号の第１の選択されたサブセットに対応する１つ以上の第１のデジタル信号、及び前記アナログ入力信号の第２の選択されたサブセットに対応する１つ以上の第２のデジタル信号を抽出し、
前記１つ以上の第１のデジタル信号をデジタル医療機器に出力するように構成されている、デジタル処理ロジックと、
デジタルアナログ変換（ＤＡＣ）回路であって、前記１つ以上の第２のデジタル信号を１つ以上のアナログ出力信号に変換し、前記１つ以上のアナログ出力信号をアナログ医療機器に出力するように連結された、ＤＡＣ回路と、を含む装置。
（２）  前記第２の選択されたサブセットはＥＣＧ信号を含み、前記第１の選択されたサブセットは非ＥＣＧ信号を含む、実施態様１に記載の装置。
（３）  前記１つ以上のアナログ出力信号を前記アナログ医療機器に伝達するように、前記アナログ医療機器の入力コネクタを受容するように構成されている出力コネクタを含む、実施態様１に記載の装置。
（４）  前記第２の選択されたサブセットはアナログＥＣＧ信号を含み、前記アナログ医療機器はアナログＥＣＧ記録計器を含む、実施態様１に記載の装置。
（５）  前記ＡＤＣ回路、前記デジタル処理ロジック、及び前記ＤＡＣ回路が単一の回路基板上に集積されている、実施態様１に記載の装置。
【００３９】
（６）  前記複数のアナログ入力信号は、それぞれの搬送周波数上で周波数多重される、実施態様１に記載の装置。
（７）  方法であって、
デジタルサンプルを生成するために、複数のアナログ入力信号をデジタル化することと、
前記デジタルサンプルから、前記アナログ入力信号の第１の選択されたサブセットに対応する１つ以上の第１のデジタル信号、及び前記アナログ入力信号の第２の選択されたサブセットに対応する１つ以上の第２のデジタル信号を抽出することと、
前記１つ以上の第１のデジタル信号をデジタル医療機器に出力することと、
前記１つ以上の第２のデジタル信号を１つ以上のアナログ出力信号に変換し、前記１つ以上のアナログ出力信号をアナログ医療機器に出力することと、を含む、方法。
（８）  前記アナログ入力信号の前記第２のサブセットを選択することは、アナログＥＣＧ信号を選択することを含み、前記アナログ入力信号の前記第１のサブセットを選択することは、アナログ非ＥＣＧ信号を選択することを含む、実施態様７に記載の方法。
（９）  前記１つ以上のアナログ出力信号をアナログ医療機器に出力することは、アナログＥＣＧ記録計器にアナログＥＣＧ信号を出力することを含む、実施態様７に記載の方法。
（１０）  複数のアナログ入力信号をデジタル化することは、それぞれの搬送周波数上で周波数多重されるアナログ入力信号をデジタル化することを含む、実施態様７に記載の方法。
【００４０】
（１１）  装置であって、
アナログデジタル変換（ＡＤＣ）回路であって、デジタルサンプルを生成するように複数のアナログ入力信号をデジタル化するように連結された、ＡＤＣ回路と、
デジタル処理ロジックであって、
前記デジタルサンプルを第１及び第２の同一のコピーに分割し、
前記デジタル信号の前記第１のコピーをデジタル医療機器に送信し、
前記デジタル信号の前記第２のコピーを出力するように構成されている、デジタル処理ロジックと、
デジタルアナログ変換（ＤＡＣ）回路であって、デジタルフィルタを含み、前記デジタル入力信号の前記第２のコピーをフィルタリングし、前記フィルタリングされた第２のコピーを１つ以上のアナログ出力信号に変換し、前記１つ以上のアナログ出力信号をアナログ医療機器に出力するように連結されている、ＤＡＣ回路と、を含む、装置。
（１２）  前記デジタルフィルタは、前記デジタル入力信号の第１のサブセットを通過させ、前記デジタル入力信号の第２のサブセットを除外することによって、前記デジタル入力信号の前記第２のコピーをフィルタリングするように構成されている、実施態様１１に記載の装置。
（１３）  前記デジタル入力信号の前記第１のサブセットは、１つ以上のデジタルＥＣＧ信号を含む、実施態様１２に記載の装置。
（１４）  前記デジタル信号の前記第２のコピーを前記ＤＡＣ回路に送信するように構成されているデータ通信回線を含む、実施態様１１に記載の装置。
（１５）  方法であって、
デジタルサンプルを生成するために、複数のアナログ入力信号をデジタル化することと、
前記デジタルサンプルを第１及び第２の同一のコピーに分割することと、
前記デジタル信号の前記第１のコピーをデジタル医療機器に送信することと、
デジタルフィルタによって前記デジタル入力信号の前記第２のコピーをフィルタリングすることと、
前記フィルタリングされた第２のコピーを１つ以上のアナログ出力信号に変換し、前記１つ以上のアナログ出力信号をアナログ医療機器に出力することと、を含む、方法。
【００４１】
（１６）  デジタル信号の前記第２のコピーをフィルタリングすることは、前記デジタル入力信号の第１のサブセットを通過させることと、前記デジタル入力信号の第２のサブセットを除外することと、を含む、実施態様１５に記載の方法。
（１７）  前記デジタル入力信号の前記第１のサブセットを通過させることは、１つ以上のデジタルＥＣＧ信号を通過させることを含む、実施態様１６に記載の方法。
（１８）  データ通信回線を使用してデジタル信号の前記第２のコピーを送信することを含む、実施態様１５に記載の方法。
【図１】
2019181199.tif 000003
【図２】
2019181199.tif 000004
【図３】
2019181199.tif 000005
【外国語明細書】
2019181199000001.pdf